(57)【要約】【課題】  ユーザに趣向性の高いサービスを提供することができる番組連動システムを提供する。【解決手段】  メインサーバより受信した番組連動データを携帯電話の内部メモリに保存し（ＳＫ２）、番組連動処理を実行する（ＳＫ３）。すると、メインサーバに対して現在時刻を要求し（ＳＫ４）、メインサーバより受信した現在時刻データを現在時刻として時計タイマを作動する（ＳＫ５）。番組連動データの開始時刻データが示す開始時刻に経過時間データが示す経過時間を加えて次の作動時刻を演算して、次の動作までの時間を算出し（ＳＫ６）、この算出時間が経過するまで待機する（ＳＫ７）。算出時間経過時には、経過時間データに関連付けられた出力データ欄のファイルＡを再生する（ＳＫ８）。【選択図】        図３
2005333280.tif 000002
【特許請求の範囲】
【請求項１】
ユーザが利用する携帯端末とデータベースを備えた供給側サーバとがネットワークを介して通信可能に接続されて構成され、放送される番組に連動する連動データが前記データベースに記憶されるとともに、前記連動データが、前記番組の場面に関連した文字又は音声の少なくとも一方を再生する為の再生データ及び当該場面が現れる時刻を示す現出時刻データからなる番組連動システムであって、
前記携帯端末は、
前記供給側サーバに対して前記連動データの送信を要求する連動データ要求手段と、
前記供給側サーバより前記連動データを受信した際に、該連動データを記憶して保存する連動データ保存手段と、
前記供給側サーバに対して現在時刻の送信を要求する現在時刻要求手段と、
前記供給側サーバから現在時刻データを受信した際に、該現在時刻データが示す時刻
に基づいて計測手段による時間の計測を行う時刻データ処理手段と、
前記計測手段による計測時間が前記連動データの前記現出時刻データが示す時刻になった際に、該現出時刻データに関連付けられた前記再生データを再生する再生手段とを備え、
前記供給側サーバは、
前記携帯端末から前記連動データの送信要求を受けた際に、前記データベースに記憶された前記連動データを送信要求を受けた携帯端末に対して送信する連動データ送信手段と、
前記携帯端末から現在時刻の送信要求を受けた際に、現在時刻を示す現在時刻データを送信要求を受けた携帯端末に対して送信する現在時刻データ送信手段とを備えた
ことを特徴とする番組連動システム。
【請求項２】
ユーザが利用する携帯端末とデータベースを備えた供給側サーバとがネットワークを介して通信可能に接続されて構成され、放送される番組の番組開始時刻と当該番組に連動する連動データとが前記データベースに記憶されるとともに、前記連動データが、前記番組の場面に関連した文字又は音声の少なくとも一方を再生する為の再生データ及び当該場面が現れるまでの前記番組開始時刻からの経過時間を示す経過時間データからなる番組連動システムであって、
前記携帯端末は、
前記供給側サーバに対して前記連動データの送信を要求する連動データ要求手段と、
前記供給側サーバより前記連動データを受信した際に、該連動データを記憶して保存する連動データ保存手段と、
前記供給側サーバに対して現在時刻及び前記番組開始時刻の送信を要求する時刻要求手段と、
前記供給側サーバから現在時刻データ及び番組開始時刻データを受信した際に、前記現在時刻データが示す時刻に基づいて計測手段による時間の計測を行うとともに、前記番組開始時刻データを記憶して保存する時刻データ処理手段と、
前記計測手段による計測時間が、前記番組開始時刻データが示す前記番組開始時刻に前記経過時間データが示す経過時間を加えた時刻になった際に、該経過時間データに関連付けられた前記再生データを再生する再生手段とを備え、
前記供給側サーバは、
前記携帯端末から前記連動データの送信要求を受けた際に、前記データベースに記憶された前記連動データを送信要求を受けた携帯端末に対して送信する連動データ送信手段と、
前記携帯端末から現在時刻及び前記番組開始時刻の送信要求を受けた際に、現在時刻を示す現在時刻データ及び前記番組開始時刻を示す番組開始時刻データを送信要求を受けた携帯端末に対して送信する時刻データ送信手段とを備えた
ことを特徴とする番組連動システム。
【請求項３】
放送される番組の場面に関連した文字又は音声の少なくとも一方を再生する為の再生データ及び当該場面が現れる時刻を示す現出時刻データからなる連動データを記憶したデータベースが設けられた供給側サーバにネットワークを介して通信可能に接続される携帯端末であって、
前記供給側サーバに対して前記連動データの送信を要求する連動データ要求手段と、
前記連動データの送信要求に応じて前記供給側サーバから送信された前記連動データを受信した際に、該連動データを記憶して保存する連動データ保存手段と、
前記供給側サーバに対して現在時刻の送信を要求する現在時刻要求手段と、
この現在時刻の送信要求に応じて前記供給側サーバから現在時刻を示す現在時刻データを受信した際に、該現在時刻データが示す時刻に基づいて計測手段による時間の計測を行う時刻データ処理手段と、
前記計測手段による計測時間が前記連動データの前記現出時刻データが示す時刻になった際に、該現出時刻データに関連付けられた前記再生データを再生する再生手段と、
を備えたことを特徴とする携帯端末。
【請求項４】
放送される番組の番組開始時刻と、当該番組の場面に関連した文字又は音声の少なくとも一方を再生する為の再生データ及び当該場面が現れるまでの前記番組開始時刻からの経過時間を示す経過時間データからなる連動データとを記憶したデータベースが設けられた供給側サーバにネットワークを介して通信可能に接続される携帯端末であって、
前記供給側サーバに対して前記連動データの送信を要求する連動データ要求手段と、
前記連動データの送信要求に応じて前記供給側サーバから送信された前記連動データを受信した際に、該連動データを記憶して保存する連動データ保存手段と、
前記供給側サーバに対して現在時刻及び前記番組開始時刻の送信を要求する時刻要求手段と、
前記現在時刻及び前記番組開始時刻の送信要求に応じて前記供給側サーバから送信された現在時刻を示す現在時刻データ及び前記番組開始時刻を示す番組開始時刻データを受信した際に、前記現在時刻データが示す時刻に基づいて計測手段による時間の計測を行うとともに、前記番組開始時刻データを記憶して保存する時刻データ処理手段と、
前記計測手段による計測時間が、前記番組開始時刻データが示す前記番組開始時刻に前記経過時間データが示す経過時間を加えた時刻になった際に、該経過時間データに関連付けられた前記再生データを再生する再生手段と、
を備えことを特徴とする携帯端末。
【請求項５】
放送される番組の場面に関連した文字又は音声の少なくとも一方を再生する為の再生データ及び当該場面が現れる時刻を示す現出時刻データからなる連動データを記憶したデータベースが設けられた供給側サーバにネットワークを介して通信可能に接続される携帯端末を用いた番組連動方法であって、
前記供給側サーバに対して前記連動データの送信を要求する連動データ要求ステップと、
前記連動データの送信要求に応じて前記供給側サーバから送信された前記連動データを受信した際に、該連動データを記憶して保存する連動データ保存ステップと、
前記供給側サーバに対して現在時刻の送信を要求する現在時刻要求ステップと、
この現在時刻の送信要求に応じて前記供給側サーバから現在時刻を示す現在時刻データを受信した際に、該現在時刻データが示す時刻に基づいて計測手段による時間の計測を行う時刻データ処理ステップと、
前記計測手段による計測時間が前記連動データの前記現出時刻データが示す時刻になった際に、該現出時刻データに関連付けられた前記再生データを再生する再生ステップと、
を備えたことを特徴とする番組連動方法。
【請求項６】
放送される番組の番組開始時刻と、当該番組の場面に関連した文字又は音声の少なくとも一方を再生する為の再生データ及び当該場面が現れるまでの前記番組開始時刻からの経過時間を示す経過時間データからなる連動データとを記憶したデータベースが設けられた供給側サーバにネットワークを介して通信可能に接続される携帯端末を用いた番組連動方法であって、
前記供給側サーバに対して前記連動データの送信を要求する連動データ要求ステップと、
前記連動データの送信要求に応じて前記供給側サーバから送信された前記連動データを受信した際に、該連動データを記憶して保存する連動データ保存ステップと、
前記供給側サーバに対して現在時刻及び前記番組開始時刻の送信を要求する時刻要求ステップと、
前記現在時刻及び前記番組開始時刻の送信要求に応じて前記供給側サーバから送信された現在時刻を示す現在時刻データ及び前記番組開始時刻を示す番組開始時刻データを受信した際に、前記現在時刻データが示す時刻に基づいて計測手段による時間の計測を行うとともに、前記番組開始時刻データを記憶して保存する時刻データ処理ステップと、
前記計測手段による計測時間が、前記番組開始時刻データが示す前記番組開始時刻に前記経過時間データが示す経過時間を加えた時刻になった際に、該経過時間データに関連付けられた前記再生データを再生する再生ステップと、
を備えことを特徴とする番組連動方法。
【請求項７】
放送される番組の場面に関連した文字又は音声の少なくとも一方を再生する為の再生データ及び当該場面が現れる時刻を示す現出時刻データからなる連動データを記憶したデータベースが設けられた供給側サーバにネットワークを介して通信可能に接続される携帯端末のコンピュータに実行させる番組連動プログラムであって、
前記供給側サーバに対して前記連動データの送信を要求する連動データ要求手順と、
前記連動データの送信要求に応じて前記供給側サーバから送信された前記連動データを受信した際に、該連動データを記憶して保存する連動データ保存手順と、
前記供給側サーバに対して現在時刻の送信を要求する現在時刻要求手順と、
この現在時刻の送信要求に応じて前記供給側サーバから現在時刻を示す現在時刻データを受信した際に、該現在時刻データが示す時刻に基づいて計測手段による時間の計測を行う時刻データ処理手順と、
前記計測手段による計測時間が前記連動データの前記現出時刻データが示す時刻になった際に、該現出時刻データに関連付けられた前記再生データを再生する再生手順と、
を備えたことを特徴とする番組連動プログラム。
【請求項８】
放送される番組の番組開始時刻と、当該番組の場面に関連した文字又は音声の少なくとも一方を再生する為の再生データ及び当該場面が現れるまでの前記番組開始時刻からの経過時間を示す経過時間データからなる連動データとを記憶したデータベースが設けられた供給側サーバにネットワークを介して通信可能に接続される携帯端末のコンピュータに実行させる番組連動プログラムであって、
前記供給側サーバに対して前記連動データの送信を要求する連動データ要求手順と、
前記連動データの送信要求に応じて前記供給側サーバから送信された前記連動データを受信した際に、該連動データを記憶して保存する連動データ保存手順と、
前記供給側サーバに対して現在時刻及び前記番組開始時刻の送信を要求する時刻要求手順と、
前記現在時刻及び前記番組開始時刻の送信要求に応じて前記供給側サーバから送信された現在時刻を示す現在時刻データ及び前記番組開始時刻を示す番組開始時刻データを受信した際に、前記現在時刻データが示す時刻に基づいて計測手段による時間の計測を行うとともに、前記番組開始時刻データを記憶して保存する時刻データ処理手順と、
前記計測手段による計測時間が、前記番組開始時刻データが示す前記番組開始時刻に前記経過時間データが示す経過時間を加えた時刻になった際に、該経過時間データに関連付けられた前記再生データを再生する再生手順と、
を備えことを特徴とする番組連動プログラム。
【請求項９】
放送される番組の場面に関連した文字又は音声の少なくとも一方を再生する為の再生データ及び当該場面が現れる時刻を示す現出時刻データからなる連動データを記憶したデータベースが設けられた供給側サーバにネットワークを介して通信可能に接続される携帯端末を制御する為のプログラムが記憶された記録媒体であって、
前記供給側サーバに対して前記連動データの送信を要求する連動データ要求手順と、
前記連動データの送信要求に応じて前記供給側サーバから送信された前記連動データを受信した際に、該連動データを記憶して保存する連動データ保存手順と、
前記供給側サーバに対して現在時刻の送信を要求する現在時刻要求手順と、
この現在時刻の送信要求に応じて前記供給側サーバから現在時刻を示す現在時刻データを受信した際に、該現在時刻データが示す時刻に基づいて計測手段による時間の計測を行う時刻データ処理手順と、
前記計測手段による計測時間が前記連動データの前記現出時刻データが示す時刻になった際に、該現出時刻データに関連付けられた前記再生データを再生する再生手順と、
を備えたことを特徴とする記録媒体。
【請求項１０】
放送される番組の番組開始時刻と、当該番組の場面に関連した文字又は音声の少なくとも一方を再生する為の再生データ及び当該場面が現れるまでの前記番組開始時刻からの経過時間を示す経過時間データからなる連動データとを記憶したデータベースが設けられた供給側サーバにネットワークを介して通信可能に接続される携帯端末を制御する為のプログラムが記憶された記録媒体であって、
前記供給側サーバに対して前記連動データの送信を要求する連動データ要求手順と、
前記連動データの送信要求に応じて前記供給側サーバから送信された前記連動データを受信した際に、該連動データを記憶して保存する連動データ保存手順と、
前記供給側サーバに対して現在時刻及び前記番組開始時刻の送信を要求する時刻要求手順と、
前記現在時刻及び前記番組開始時刻の送信要求に応じて前記供給側サーバから送信された現在時刻を示す現在時刻データ及び前記番組開始時刻を示す番組開始時刻データを受信した際に、前記現在時刻データが示す時刻に基づいて計測手段による時間の計測を行うとともに、前記番組開始時刻データを記憶して保存する時刻データ処理手順と、
前記計測手段による計測時間が、前記番組開始時刻データが示す前記番組開始時刻に前記経過時間データが示す経過時間を加えた時刻になった際に、該経過時間データに関連付けられた前記再生データを再生する再生手順と、
を備えことを特徴とする記録媒体。
【発明の詳細な説明】
【技術分野】
【０００１】
本発明は、放送される番組に連動したデータを携帯端末に提供する番組連動システムに関する。
【背景技術】
【０００２】
従来、テレビ番組などのコンテンツデータを携帯型のコンテンツ再生装置にダウンロードできるシステムが知られている（例えば、特許文献１参照。）。
【０００３】
このシステムでは、コンテンツ提供装置が、指定されたコンテンツデータをコンテンツ再生装置に出力することで、ユーザは、コンテンツ再生装置を用いることによって電車内等でコンテンツデータを再生できるように構成されている。
【特許文献１】特開２００３−１９６４９１号公報
【発明の開示】
【発明が解決しようとする課題】
【０００４】
しかしながら、近年においては、よりユーザの興味を引くサービスを提供することが要請されている。
【０００５】
本発明は、このような従来の課題に鑑みてなされたものであり、ユーザに趣向性の高いサービスを提供することができる番組連動システムを提供することを目的とするものである。
【課題を解決するための手段】
【０００６】
前記課題を解決するために本発明の番組連動システムにおいては、ユーザが利用する携帯端末とデータベースを備えた供給側サーバとがネットワークを介して通信可能に接続されて構成され、放送される番組に連動する連動データが前記データベースに記憶されるとともに、前記連動データが、前記番組の場面に関連した文字又は音声の少なくとも一方を再生する為の再生データ及び当該場面が現れる時刻を示す現出時刻データからなる番組連動システムであって、前記携帯端末は、前記供給側サーバに対して前記連動データの送信を要求する連動データ要求手段と、前記供給側サーバより前記連動データを受信した際に、該連動データを記憶して保存する連動データ保存手段と、前記供給側サーバに対して現在時刻の送信を要求する現在時刻要求手段と、前記供給側サーバから現在時刻データを受信した際に、該現在時刻データが示す時刻に基づいて計測手段による時間の計測を行う時刻データ処理手段と、前記計測手段による計測時間が前記連動データの前記現出時刻データが示す時刻になった際に、該現出時刻データに関連付けられた前記再生データを再生する再生手段とを備え、前記供給側サーバは、前記携帯端末から前記連動データの送信要求を受けた際に、前記データベースに記憶された前記連動データを送信要求を受けた携帯端末に対して送信する連動データ送信手段と、前記携帯端末から現在時刻の送信要求を受けた際に、現在時刻を示す現在時刻データを送信要求を受けた携帯端末に対して送信する現在時刻データ送信手段とを備えている。
【０００７】
すなわち、放送される番組を視聴するユーザは、携帯端末を利用して供給側サーバに対し、番組の場面に関連した連動データの送信を要求する。この連動データの送信要求を受けた供給側サーバは、データベースに記憶された連動データを送信要求を受けた携帯端末に対して送信するので、この連動データを受信した携帯端末では、再生データ及び現出時刻データからなる前記連動データを記憶して保存する。
【０００８】
前記携帯端末にて前記連動データの再生を開始する際には、供給側サーバに対して現在時刻の送信を要求する。この現在時刻の送信要求を受けた供給側サーバでは、現在時刻を示す現在時刻データを送信要求を受けた携帯端末に対して送信するので、該携帯端末では、現在時刻データを受信した際に、該現在時刻データが示す時刻に基づいて計測手段による時間の計測を行う。
【０００９】
そして、前記計測手段による計測時間が、前記連動データの現出時刻データが示す時刻となった際に、該現出時刻データに関連付けられた前記再生データを再生する。
【００１０】
このとき、前記現出時刻データは、前記番組の所定の場面が現れる時刻を示すので、放送される番組において、当該画面が現れる時刻となった際に、当該場面に関連した文字又は音声の少なくとも一方を再生する為の再生データが再生される。これにより、前記番組を視聴するユーザに対しては、当該場面に関連した文字や音声が該場面に連動して再生される。
【００１１】
また、ユーザが利用する携帯端末とデータベースを備えた供給側サーバとがネットワークを介して通信可能に接続されて構成され、放送される番組の番組開始時刻と当該番組に連動する連動データとが前記データベースに記憶されるとともに、前記連動データが、前記番組の場面に関連した文字又は音声の少なくとも一方を再生する為の再生データ及び当該場面が現れるまでの前記番組開始時刻からの経過時間を示す経過時間データからなる番組連動システムであって、前記携帯端末は、前記供給側サーバに対して前記連動データの送信を要求する連動データ要求手段と、前記供給側サーバより前記連動データを受信した際に、該連動データを記憶して保存する連動データ保存手段と、前記供給側サーバに対して現在時刻及び前記番組開始時刻の送信を要求する時刻要求手段と、前記供給側サーバから現在時刻データ及び番組開始時刻データを受信した際に、前記現在時刻データが示す時刻に基づいて計測手段による時間の計測を行うとともに、前記番組開始時刻データを記憶して保存する時刻データ処理手段と、前記計測手段による計測時間が、前記番組開始時刻データが示す前記番組開始時刻に前記経過時間データが示す経過時間を加えた時刻になった際に、該経過時間データに関連付けられた前記再生データを再生する再生手段とを備え、前記供給側サーバは、前記携帯端末から前記連動データの送信要求を受けた際に、前記データベースに記憶された前記連動データを送信要求を受けた携帯端末に対して送信する連動データ送信手段と、前記携帯端末から現在時刻及び前記番組開始時刻の送信要求を受けた際に、現在時刻を示す現在時刻データ及び前記番組開始時刻を示す番組開始時刻データを送信要求を受けた携帯端末に対して送信する時刻データ送信手段とを備えている。
【００１２】
すなわち、放送される番組を視聴するユーザは、携帯端末を利用して供給側サーバに対し、番組の場面に関連した連動データの送信を要求する。この連動データの送信要求を受けた供給側サーバは、データベースに記憶された連動データを送信要求を受けた携帯端末に対して送信するので、この連動データを受信した携帯端末では、再生データ及び経過時間データからなる連動データを記憶して保存する。
【００１３】
前記携帯端末にて前記連動データの再生を開始する際には、供給側サーバに対して現在時刻及び番組開始時刻の送信を要求する。この送信要求を受けた供給側サーバでは、現在時刻を示す現在時刻データ及び番組開始時刻を示す番組開始時刻データを送信要求を受けた携帯端末に対して送信するので、該携帯端末では、前記現在時刻データ及び前記番組開始時刻データを受信した際に、前記現在時刻データが示す時刻に基づいて計測手段による時間の計測を行うとともに、前記番組開始時刻データを記憶して保存する。
【００１４】
そして、前記計測手段による計測時間が、前記番組開始時刻データが示す番組開始時刻に前記経過時間データが示す経過時間を加えた時刻となった際に、該経過時間データに関連付けられた再生データを再生する。
【００１５】
このとき、前記番組開始時刻データは、前記番組の番組開始時刻と示すとともに、前記経過時間データは、当該場面が現れるまでの前記番組開始時刻からの経過時間を示すので、放送される番組において、当該画面が現れる時刻となった際に、当該場面に関連した文字又は音声の少なくとも一方を再生する為の再生データが再生される。これにより、前記番組を視聴するユーザに対しては、当該場面に関連した文字や音声が該場面に連動して再生される。
【００１６】
また、前記番組開始時刻データは、前記供給側サーバから供給される。このため、前番組の関係により番組の開始時間が前後することがあっても、これに合わせてデータベースに記憶された前記番組開始時刻データを更新することで、番組との連動性が確保される。
【００１７】
また、携帯端末においては、放送される番組の場面に関連した文字又は音声の少なくとも一方を再生する為の再生データ及び当該場面が現れる時刻を示す現出時刻データからなる連動データを記憶したデータベースが設けられた供給側サーバにネットワークを介して通信可能に接続される携帯端末であって、前記供給側サーバに対して前記連動データの送信を要求する連動データ要求手段と、前記連動データの送信要求に応じて前記供給側サーバから送信された前記連動データを受信した際に、該連動データを記憶して保存する連動データ保存手段と、前記供給側サーバに対して現在時刻の送信を要求する現在時刻要求手段と、この現在時刻の送信要求に応じて前記供給側サーバから現在時刻を示す現在時刻データを受信した際に、該現在時刻データが示す時刻に基づいて計測手段による時間の計測を行う時刻データ処理手段と、前記計測手段による計測時間が前記連動データの前記現出時刻データが示す時刻になった際に、該現出時刻データに関連付けられた前記再生データを再生する再生手段と、を備えている。
【００１８】
さらに、放送される番組の番組開始時刻と、当該番組の場面に関連した文字又は音声の少なくとも一方を再生する為の再生データ及び当該場面が現れるまでの前記番組開始時刻からの経過時間を示す経過時間データからなる連動データとを記憶したデータベースが設けられた供給側サーバにネットワークを介して通信可能に接続される携帯端末であって、前記供給側サーバに対して前記連動データの送信を要求する連動データ要求手段と、前記連動データの送信要求に応じて前記供給側サーバから送信された前記連動データを受信した際に、該連動データを記憶して保存する連動データ保存手段と、前記供給側サーバに対して現在時刻及び前記番組開始時刻の送信を要求する時刻要求手段と、前記現在時刻及び前記番組開始時刻の送信要求に応じて前記供給側サーバから送信された現在時刻を示す現在時刻データ及び前記番組開始時刻を示す番組開始時刻データを受信した際に、前記現在時刻データが示す時刻に基づいて計測手段による時間の計測を行うとともに、前記番組開始時刻データを記憶して保存する時刻データ処理手段と、前記計測手段による計測時間が、前記番組開始時刻データが示す前記番組開始時刻に前記経過時間データが示す経過時間を加えた時刻になった際に、該経過時間データに関連付けられた前記再生データを再生する再生手段と、を備えている。
【００１９】
これにより、この携帯端末を前記供給側サーバに接続して所定の操作を行うことによって、発明と同様の作用効果を得ることが可能となる。
【００２０】
また、番組連動方法においては、放送される番組の場面に関連した文字又は音声の少なくとも一方を再生する為の再生データ及び当該場面が現れる時刻を示す現出時刻データからなる連動データを記憶したデータベースが設けられた供給側サーバにネットワークを介して通信可能に接続される携帯端末を用いた番組連動方法であって、前記供給側サーバに対して前記連動データの送信を要求する連動データ要求ステップと、前記連動データの送信要求に応じて前記供給側サーバから送信された前記連動データを受信した際に、該連動データを記憶して保存する連動データ保存ステップと、前記供給側サーバに対して現在時刻の送信を要求する現在時刻要求ステップと、この現在時刻の送信要求に応じて前記供給側サーバから現在時刻を示す現在時刻データを受信した際に、該現在時刻データが示す時刻に基づいて計測手段による時間の計測を行う時刻データ処理ステップと、前記計測手段による計測時間が前記連動データの前記現出時刻データが示す時刻になった際に、該現出時刻データに関連付けられた前記再生データを再生する再生ステップと、を備えている。
【００２１】
さらに、放送される番組の番組開始時刻と、当該番組の場面に関連した文字又は音声の少なくとも一方を再生する為の再生データ及び当該場面が現れるまでの前記番組開始時刻からの経過時間を示す経過時間データからなる連動データとを記憶したデータベースが設けられた供給側サーバにネットワークを介して通信可能に接続される携帯端末を用いた番組連動方法であって、前記供給側サーバに対して前記連動データの送信を要求する連動データ要求ステップと、前記連動データの送信要求に応じて前記供給側サーバから送信された前記連動データを受信した際に、該連動データを記憶して保存する連動データ保存ステップと、前記供給側サーバに対して現在時刻及び前記番組開始時刻の送信を要求する時刻要求ステップと、前記現在時刻及び前記番組開始時刻の送信要求に応じて前記供給側サーバから送信された現在時刻を示す現在時刻データ及び前記番組開始時刻を示す番組開始時刻データを受信した際に、前記現在時刻データが示す時刻に基づいて計測手段による時間の計測を行うとともに、前記番組開始時刻データを記憶して保存する時刻データ処理ステップと、前記計測手段による計測時間が、前記番組開始時刻データが示す前記番組開始時刻に前記経過時間データが示す経過時間を加えた時刻になった際に、該経過時間データに関連付けられた前記再生データを再生する再生ステップと、を備えている。
【００２２】
したがって、前述した記載する処理を携帯端末に実行させることにより、前述の記載と同様の作用効果を得ることが可能となる。よって、記載される処理をコンピュータなどのハードウエアを用いて実行することにより、これらのハードウエアで本発明の番組連動技術を容易に実施することができる。
【００２３】
また、番組連動プログラムにおいては放送される番組の場面に関連した文字又は音声の少なくとも一方を再生する為の再生データ及び当該場面が現れる時刻を示す現出時刻データからなる連動データを記憶したデータベースが設けられた供給側サーバにネットワークを介して通信可能に接続される携帯端末のコンピュータに実行させる番組連動プログラムであって、前記供給側サーバに対して前記連動データの送信を要求する連動データ要求手順と、前記連動データの送信要求に応じて前記供給側サーバから送信された前記連動データを受信した際に、該連動データを記憶して保存する連動データ保存手順と、前記供給側サーバに対して現在時刻の送信を要求する現在時刻要求手順と、この現在時刻の送信要求に応じて前記供給側サーバから現在時刻を示す現在時刻データを受信した際に、該現在時刻データが示す時刻に基づいて計測手段による時間の計測を行う時刻データ処理手順と、前記計測手段による計測時間が前記連動データの前記現出時刻データが示す時刻になった際に、該現出時刻データに関連付けられた前記再生データを再生する再生手順と、を備えている。
【００２４】
さらに、放送される番組の番組開始時刻と、当該番組の場面に関連した文字又は音声の少なくとも一方を再生する為の再生データ及び当該場面が現れるまでの前記番組開始時刻からの経過時間を示す経過時間データからなる連動データとを記憶したデータベースが設けられた供給側サーバにネットワークを介して通信可能に接続される携帯端末のコンピュータに実行させる番組連動プログラムであって、前記供給側サーバに対して前記連動データの送信を要求する連動データ要求手順と、前記連動データの送信要求に応じて前記供給側サーバから送信された前記連動データを受信した際に、該連動データを記憶して保存する連動データ保存手順と、前記供給側サーバに対して現在時刻及び前記番組開始時刻の送信を要求する時刻要求手順と、前記現在時刻及び前記番組開始時刻の送信要求に応じて前記供給側サーバから送信された現在時刻を示す現在時刻データ及び前記番組開始時刻を示す番組開始時刻データを受信した際に、前記現在時刻データが示す時刻に基づいて計測手段による時間の計測を行うとともに、前記番組開始時刻データを記憶して保存する時刻データ処理手順と、前記計測手段による計測時間が、前記番組開始時刻データが示す前記番組開始時刻に前記経過時間データが示す経過時間を加えた時刻になった際に、該経過時間データに関連付けられた前記再生データを再生する再生手順と、を備えている。
【００２５】
したがって、携帯端末のコンピュータがこのプログラムに従って処理を実行することにより、前述と同様の作用効果を奏する。
【００２６】
また、記録媒体においては、放送される番組の場面に関連した文字又は音声の少なくとも一方を再生する為の再生データ及び当該場面が現れる時刻を示す現出時刻データからなる連動データを記憶したデータベースが設けられた供給側サーバにネットワークを介して通信可能に接続される携帯端末を制御する為のプログラムが記憶された記録媒体であって、前記供給側サーバに対して前記連動データの送信を要求する連動データ要求手順と、前記連動データの送信要求に応じて前記供給側サーバから送信された前記連動データを受信した際に、該連動データを記憶して保存する連動データ保存手順と、前記供給側サーバに対して現在時刻の送信を要求する現在時刻要求手順と、この現在時刻の送信要求に応じて前記供給側サーバから現在時刻を示す現在時刻データを受信した際に、該現在時刻データが示す時刻に基づいて計測手段による時間の計測を行う時刻データ処理手順と、前記計測手段による計測時間が前記連動データの前記現出時刻データが示す時刻になった際に、該現出時刻データに関連付けられた前記再生データを再生する再生手順と、を備えている。
【００２７】
さらに、放送される番組の番組開始時刻と、当該番組の場面に関連した文字又は音声の少なくとも一方を再生する為の再生データ及び当該場面が現れるまでの前記番組開始時刻からの経過時間を示す経過時間データからなる連動データとを記憶したデータベースが設けられた供給側サーバにネットワークを介して通信可能に接続される携帯端末を制御する為のプログラムが記憶された記録媒体であって、前記供給側サーバに対して前記連動データの送信を要求する連動データ要求手順と、前記連動データの送信要求に応じて前記供給側サーバから送信された前記連動データを受信した際に、該連動データを記憶して保存する連動データ保存手順と、前記供給側サーバに対して現在時刻及び前記番組開始時刻の送信を要求する時刻要求手順と、前記現在時刻及び前記番組開始時刻の送信要求に応じて前記供給側サーバから送信された現在時刻を示す現在時刻データ及び前記番組開始時刻を示す番組開始時刻データを受信した際に、前記現在時刻データが示す時刻に基づいて計測手段による時間の計測を行うとともに、前記番組開始時刻データを記憶して保存する時刻データ処理手順と、前記計測手段による計測時間が、前記番組開始時刻データが示す前記番組開始時刻に前記経過時間データが示す経過時間を加えた時刻になった際に、該経過時間データに関連付けられた前記再生データを再生する再生手順と、を備えている。
【００２８】
したがって、携帯端末のコンピュータにこの記憶媒体を読み込ませ、記載した手順に従った処理を実行させることにより、前述と同様の作用効果を奏する。
【発明の効果】
【００２９】
本発明にあっては、放送される番組の進行に合わせて、ユーザが利用する携帯端末に、関連した文字又は音声の少なくとも一方を出力することができる。これにより、ユーザは、放送の番組をより楽しむことができる。
【００３０】
したがって、ユーザに趣向性の高いサービスを提供することができる。
【００３１】
また、前記文字や音声等は、サーバ側の現在時刻に基づいて再生される。このため、ユーザが番組開始前に前記文字又は音声の少なくとも一方を再生してしまい、当該番組の粗筋が観られてしまうといった不具合を回避することができる。
【００３２】
そして、前記場面が現れる時刻を、番組開始時刻を示す番組開始時刻データと、番組開始時刻からの経過時間を示す経過時間データとで構成するとともに、連動データの再生を開始する際に、供給側サーバから前記番組開始時刻データの供給を受ける場合には、前番組の関係により当該番組の開始時間が前後する場合であっても、これに合わせてデータベースに記憶された前記番組開始時刻データを更新することで、当該番組と前記連動データの連動性を確保することができる。
【００３３】
よって、例えば天候によって中止されたり延長される恐れのある野球番組後の番組であっても、各場面と出力される文字や音声等とが異なるといった不具合を未然に解消することができる。
【発明を実施するための最良の形態】
【００３４】
（第１の実施の形態）
【００３５】
以下、本発明の第１の実施の形態を図面にしたがって説明する。図１は、本発明にかかる番組連動システム１を示すブロック図であり、該番組連動システム１は、放送局２から放送されるテレビ番組の例えばドラマにおいて、登場人物がいる場面に合わせて、その時の思い等の心の声を文字や音声によって携帯端末に出力するシステムである。
【００３６】
この番組連動システム１は、ネットワークの一例であるインターネット１１を利用して構築されており、該インターネット１１には、供給側サーバ１２とテレビ番組を放送する放送局２が接続されている。該放送局２は、前述したドラマを電波に乗せて放送するように構成されており、この放送を受信した受信機１３のモニタ１４にはドラマの映像が、スピーカからはドラマの音声が出力されるように構成されている。なお、この受信機１３としては、テレビ（ＴＶ受像機）を示している。
【００３７】
インターネット１１には、携帯電話各社が構成する移動体通信網２１が接続されており、該移動体通信網２１には、多数の基地局２２が設けられている。これにより、受信機１３でテレビ放送を視聴したユーザは、携帯端末の一例である携帯電話２３を利用することで、インターネット１１及び移動体通信網２１の基地局２２を介して、供給側サーバ１２に接続できるように構成されている。
【００３８】
放送局２は、図外のサーバを備えており、該サーバは、インターネット１１に常時接続されている。このサーバに接続された図外のデータベースには、プログラムを記憶する為のプログラム記憶領域と、データを記憶する為のデータ記憶領域が設けられており、当該サーバは、プログラム領域に記憶されたＷｅｂサーバープログラムに従って動作することで、供給側サーバ１２と通信するとともに、データベースに記憶された放送予定の番組名やその開始予定時刻を、供給側サーバ１２へ送信できるように構成されている。
【００３９】
供給側サーバ１２は、メインサーバ３１と番組表サーバ３２とによって構成されている。該番組表サーバ３２は、データベース３３を備えており、該データベース３３には、プログラムを記憶する為のプログラム記憶領域と、データを記憶する為のデータ記憶領域が設けられている。この番組表サーバ３２は、プログラム領域に記憶されたＷｅｂサーバープログラムに従って動作することで、メインサーバ３１及び放送局２のサーバとの通信するとともに、放送局２のサーバから放送予定の番組名やその開始予定時刻を取得して当該番組表サーバ３２のデータベース３３に記憶するように構成されている。
【００４０】
メインサーバ３１も、データベース４１を備えており、該データベース４１には、プログラムを記憶する為のプログラム記憶領域と、データを記憶する為のデータ記憶領域が設けられている。このメインサーバ３１は、プログラム領域に記憶されたＷｅｂサーバープログラムに従って動作することで、番組表サーバ３２及び放送局２のサーバ並びに携帯電話２３と通信できるように構成されている。
【００４１】
このメインサーバ３１のデータベース４１には、図２に示すように、番組表サーバ３２から読み出した又は予め直接入力した番組連動データ５１が記憶されている。番組連動データ５１は、各番組の開始時刻を示す開始時刻データ５２ａを記憶する開始時刻・日時欄５２と、番組の開始時刻からの経過時間を示す経過時間データ５３ａを記憶するスタートからの時間欄５３と、各経過時間データ５３ａに関連付けられたファイル５４ａを記憶する出力データ欄５４等によって構成されている。この出力データ欄５４に記憶された各ファイル５４ａは、開始時刻データ５３ａが示す開始時刻に、経過時間データ５３ａが示す経過時間を加算した時刻に現れる場面において再生される文字や音声等からなる再生データによって構成されている。
【００４２】
そして、携帯電話２３には、携帯型メモリ等の記憶媒体に記憶された番組連動プログラムを読み込んで内部メモリの記憶エリアに記憶する図外の読み取り装置が設けられており、記憶エリアに記憶された番組連動プログラムに従って携帯電話２３内蔵のコンピュータを作動することにより、供給側サーバ１２との遣り取りを行えるように構成されている。
【００４３】
以上の構成にかかる本実施の形態の動作を、図３に示すフローチャートに従って説明する。
【００４４】
すなわち、放送される番組を視聴するユーザは、携帯端末である携帯電話２３を利用して供給側サーバ１２のメインサーバ３１に接続し連動番組の一覧を取得するとともに、この一覧から視聴する番組を選択して当該番組を選択した旨を示す番組指定データをメインサーバ３１に送信することで、この番組の各場面に関連した連動データの送信を要求する（ＳＫ１）。この送信要求を受けたメインサーバ３１は、送信要求を受けた番組に関する番組連動データ５１をデータベース４１から検索して、この番組連動データ５１を送信要求を受けた携帯電話２３に対して送信するので（ＳＳ１）、この番組連動データ５１を受信した携帯電話２３では、番組連動データ５１を内部メモリに記憶して保存する（ＳＫ２）。
【００４５】
そして、ユーザは、携帯電話２３が備えるアプリケーション機能を利用して番組連動処理を実行する（ＳＫ３）。
【００４６】
この番組連動処理が開始されると、番組連動データ５１における出力データ欄５４のファイル５４ａの再生を開始する前ステップにおいて、当該携帯電話２３は、メインサーバ３１に対して現在時刻の送信を要求する（ＳＫ４）。この現在時刻の送信要求を受けたメインサーバ３１では、現在時刻を示す現在時刻データを内蔵時計から取得し、送信要求を受けた携帯電話２３に対して送信するので（ＳＳ２）、該携帯電話２３では、現在時刻データを受信した際に、この現在時刻データが示す時刻を現在時刻として計測手段である内蔵の時計タイマを作動して時間の計測を開始する（ＳＫ５）。
【００４７】
そして、番組連動データ５１の開始時刻・日時欄５２に記憶された開始時刻データ５２ａが示す開始時刻に、スタートからの時間欄５３の先頭に記憶された経過時間データ５３ａが示す経過時間を加えて次の作動時刻を演算するとともに、この作動時刻と時計タイマによる計測時間との差から次の動作までの時間を算出した後（ＳＫ６）、この算出時間が経過するまで待機する（ＳＫ７）。つまり、開始時刻・日時欄５２に「２００４年５月２０日１０時００分」が記憶され、スタートからの時間欄５３の先頭に「５分」が記憶されている場合、作動時刻は、「２００４年５月２０日１０時０５分」となる。このとき、時計タイマによる計測時間が「２００４年５月２０日９時５０分」の場合、次の動作までの時間は、「１５分」となる。
【００４８】
この算出時間「１５分」が経過した際には、開始時刻に経過時間を加えることで算出された本発明の現出時刻データが示す時刻「２００４年５月２０日１０時０５分」となったので、スタートからの時間欄５３の経過時間データ５３ａに関連付けられた出力データ欄５４の「ファイルＡ」を再生する（ＳＫ８）。
【００４９】
このとき、「ファイルＡ」は、放送されるドラマの場面に合わせて、その時の登場人物の思い等の心の声を文字と音声によって携帯電話２３から出力する文字データ及び音声データからなり、この「ファイルＡ」を再生することによって、登場人物の台詞に合わせて、携帯電話２３のモニタには心の声を文字列として表示するとともに、該携帯電話２３のスピーカからは心の声を音声として出力することができる。
【００５０】
そして、「ファイルＡ」の再生を終了した際には、この「ファイルＡ」を内部メモリから消去して内部メモリの利用可能容量を増やした後（ＳＫ９）、出力データ欄５４に設定された総てのファイル５４ａの再生が終了したか否かを判断する（ＳＫ１０）。総てのファイル５４ａの再生が終了していない場合には、ステップＳＫ６へ分岐して総てのファイル５４ａの再生が完了するまで各ステップＳＫ６〜ＳＫ１０を繰り返す一方、総てのファイル５４ａの再生が完了した際には、次ステップへ移行する。
【００５１】
このように、放送局２から放送されるテレビ番組の進行に合わせて、ユーザが利用する携帯電話２３に、出演者の心の声を示す文字列や音声を出力することができる。これにより、ユーザは、テレビ放送の番組をより楽しむことができる。
【００５２】
したがって、ユーザに趣向性の高いサービスを提供することができる。
【００５３】
また、文字列や音声は、サーバ側の現在時刻に基づいて再生出力される。このため、ユーザが番組開始前に文字列や音声等を再生してしまい、当該番組の粗筋が番組開始前に観られてしまうといった不具合を回避することができる。
【００５４】
（第２の実施の形態）
【００５５】
図４及び図５は、本発明の第２の実施の形態を示す図であり、ハードウエア構成は、第１の実施の形態と同様であるため、異なる部分に付いてのみ説明する。
【００５６】
すなわち、メインサーバ３１のデータベース４１には、図４の（ａ）に示すように、番組連動データ１０１が記憶されている。
【００５７】
この番組連動データ１０１には、連動データを供給する番組ＩＤ１１１ａを記憶する番組ＩＤ欄１１１と、各番組の開始時刻からの経過時間を示す経過時間データ１１３ａが記憶されたスタートからの時間欄１１３と、各経過時間データ１１３ａに関連付けられたファイル１１４ａを記憶する出力データ欄１１４等が設けられており、この出力データ欄１１４に記憶されたファイル１１４ａは、番組の開始時刻データ１１２ａが示す開始時刻に経過時間データ１１３ａが示す経過時間を加算した時刻に現れる場面において再生される文字や音声等からなる再生データにより構成されている。
【００５８】
また、番組表サーバ３２のデータベース３３には、図４の（ｂ）に示すように、番組表データ１２１が記憶されており、この番組表データ１２１は、放送局２との通信によって常時更新されるように構成されている。
【００５９】
この番組表データ１２１には、連動データを供給する番組ＩＤ１３１ａを記憶する番組ＩＤ欄１３１と、各番組の開始時間を示す開始日時データ１３２ａを記憶する開始日時欄１３２とが関連付けされて記憶されている。
【００６０】
以上の構成にかかる本実施の形態の動作を、図５に示すフローチャートに従って説明する。
【００６１】
すなわち、放送される番組を視聴するユーザは、携帯端末である携帯電話２３を利用して供給側サーバ１２のメインサーバ３１に接続し連動番組の一覧を取得するとともに、この一覧から視聴した番組を選択して当該番組を選択した旨を示す番組指定データをメインサーバ３１に送信することで、この番組の各場面に関連した連動データの送信を要求する（ＳＢ１）。この送信要求を受けたメインサーバ３１は、送信要求を受けた番組に関する番組連動データ１０１をデータベース４１から検索して、この番組連動データ１０１を送信要求を受けた携帯電話２３に対して送信するので（ＳＣ１）、この番組連動データ１０１を受信した携帯電話２３では、番組連動データ１０１を内部メモリに記憶して保存する（ＳＢ２）。
【００６２】
そして、ユーザは、携帯電話２３が備えるアプリケーション機能を利用して番組連動処理を実行する（ＳＢ３）。
【００６３】
この番組連動処理が開始されると、番組連動データ１０１における出力データ欄１１４のファイル１１４ａの再生を開始する前ステップにおいて、当該携帯電話２３は、メインサーバ３１に対して時刻の送信を要求する（ＳＢ４）。この時刻の送信要求を受けたメインサーバ３１では、再生しようとしている番組の番組ＩＤデータ「ＩＤ０００１」を番組表サーバ３２へ送信することによって、当該番組の開始時刻の確認を番組表サーバ３２に対して行う（ＳＣ２）。
【００６４】
これを受けた番組表サーバ３２は、データベース３３に記憶された番組表データ１２１の番組ＩＤ欄１３１から、番組ＩＤデータ「ＩＤ０００１」を検索し、この番組ＩＤデータ「ＩＤ０００１」に関連付けられた番組の開始時刻を、開始日時１３２から取得する（ＳＤ１）。そして、この取得した最新の開始時刻を示す開始日時データ１３２ａをメインサーバ３１へ送信する（ＳＤ２）、
【００６５】
この開始日時データ１３２ａを受信したメインサーバ３１は、番組表サーバ３２より受信した開始日時データ１３２ａを、当該メインサーバ３１の内蔵時計から取得した現在時刻を示す現在時刻データと共に、時刻の送信要求した携帯電話２３に対して送信する（ＳＣ３）。すると、該携帯電話２３では、現在時刻データを受信した際に、この現在時刻データが示す時刻を現在時刻として計測手段である内蔵の時計タイマを作動して時間の計測を開始するとともに（ＳＢ５）、内部メモリに記憶された番組の開始時刻を受信した最新の開始日時データ１３２ａが示す時刻に書き換え保存することによって修正する（ＳＢ６）。
【００６６】
そして、記憶した開始時刻にスタートからの時間である経過時間を加えて次の作動時刻を演算するとともに、この作動時刻と時計タイマによる計測時間との差から次の動作までの時間を算出した後（ＳＢ７）、この算出時間が経過するまで待機する（ＳＢ８）。つまり、開始日時欄１３２に「２００４年５月２０日１０時００分」が記憶され、スタートからの時間欄１１３の先頭に「５分」が設定されている場合、作動時刻は、「２００４年５月２０日１０時０５分」となる。このとき、時計タイマによる計測時間が「２００４年５月２０日９時５０分」とすると、次の動作までの時間は、「１５分」となる。
【００６７】
この算出時間「１５分」が経過した際には、開始時刻に経過時間を加えることで算出された時刻「２００４年５月２０日１０時０５分」となったので、スタートからの時間欄１１３の経過時間データ１１３ａに関連付けられた出力データ欄１１４の「ファイルＡ」を再生する（ＳＢ９）。
【００６８】
このとき、「ファイルＡ」は、放送されるドラマの場面に合わせて、登場人物のその時の思い等の心の声を文字と音声によって携帯電話２３から出力する文字データ及び音声データからなり、この「ファイルＡ」を再生することによって、ドラマの場面に合わせて、携帯電話２３のモニタに登場人物の心の声を示す文字列を表示するとともに、該携帯電話２３のスピーカから登場人物の心の声を出力することができる。
【００６９】
そして、「ファイルＡ」の再生を終了した際には、この「ファイルＡ」を内部メモリから消去して内部メモリの利用可能容量を増やした後（ＳＢ１０）、出力データ欄１１４に設定された総てのファイル１１４ａの再生が終了したか否かを判断する（ＳＢ１１）。総てのファイル１１４ａの再生が終了していない場合には、ステップＳＢ７へ分岐して総てのファイル１１４ａの再生が完了するまで各ステップＳＢ７〜ＳＢ１１を繰り返す一方、総てのファイル１１４ａの再生が完了した際には、次ステップへ移行する。
【００７０】
このように、放送局２から放送されるテレビ番組の進行に合わせて、ユーザが利用する携帯電話２３に、出演者の心の声を示す文字列や音声を出力することができる。これにより、ユーザは、テレビ放送の番組をより楽しむことができる。
【００７１】
したがって、ユーザに趣向性の高いサービスを提供することができる。
【００７２】
また、文字列や音声は、メインサーバ３１から送信された時刻に基づいて再生出力される。このため、ユーザが番組開始前に文字列や音声等を再生してしまい、当該番組の粗筋が番組開始前に観られてしまうといった不具合を回避することができる。
【００７３】
そして、場面が現れる時刻は、番組の開始時刻を示す開始日時データ１３２ａと、番組の開始時刻からの経過時間を示す経過時間データ１１３ａとで構成されており、番組連動データ１０１の再生を開始する前ステップにおいて、常に最新データ更新されている番組表サーバ３２からの番組の開始日時データ１３２ａの供給を受けることができる。このため、前番組の関係により当該番組の開始時間が前後する場合であっても、これに合わせて携帯電話２３の内部メモリに記憶された番組の開始時刻データを更新することで、当該番組と出力データ１１４のファイルの連動性を確保することができる。
【００７４】
よって、例えば天候によって中止されたり延長される恐れのある野球番組後の番組であっても、各場面と出力される文字や音声等とが異なるといった不具合を未然に解消することができる。
【００７５】
なお、本実施の形態では、音声及び文字を同時に出力する場合を例に挙げて説明したが、これに限定されるのものでは無く、少なくともいずれか一方を出力するようにしても良い。
【００７６】
また、本実施の形態では、メインサーバ３１から送信された現在時刻を、そのまま携帯電話２３側の現在時刻として用いる場合を例に挙げて説明したが、送信された現在時刻に、メインサーバ３１と携帯電話２３との間のデータ通信の遅延に関する補正値を加えたものを、携帯電話２３側の現在時刻として用いるようにしても良い。
【００７７】
さらに、本実施の形態では、記録媒体として形態メモリを例に挙げて説明したが、これに限定されるものでは無く、他の記録媒体として光ディスクや磁気ディスクや光磁気ディスクやメモリカード等が挙げられる。
【図面の簡単な説明】
【００７８】
【図１】本発明の第１の実施の形態を示すブロック図である。
【図２】同実施の形態で使用する番組連動データを示す図である。
【図３】同実施の形態の動作を示すフローチャートである。
【図４】本発明の第２の実施の形態で使用する番組連動データを示す図である。
【図５】同実施の形態の動作を示すフローチャートである。
【符号の説明】
【００７９】
１    番組連動システム
１１    インターネット
１２    供給側サーバ
２３    携帯電話
４１    データベース
５１    番組連動データ
１０１    番組連動データ
【図１】
2005333280.tif 000003
【図２】
2005333280.tif 000004
【図３】
2005333280.tif 000005
【図４】
2005333280.tif 000006
【図５】
2005333280.tif 000007
【手続補正書】
【提出日】平成17年4月6日(2005.4.6)
【手続補正１】
【補正対象書類名】特許請求の範囲
【補正対象項目名】全文
【補正方法】変更
【補正の内容】
【特許請求の範囲】
【請求項１】
ユーザが利用する携帯端末とデータベースを備えた供給側サーバとがネットワークを介して通信可能に接続されて構成され、放送される番組に連動する連動データが前記データベースに記憶されるとともに、
前記連動データが、前記番組の開始時刻を示す開始時刻データと、前記番組の場面に関連した文字又は音声の少なくとも一方を再生する為の再生データと、前記番組の開始時刻から前記場面が現れる現出時刻までの経過時間を示す経過時間データとからなる番組連動システムであって、
前記携帯端末は、
前記供給側サーバに対して前記連動データの送信を要求する連動データ要求手段と、
前記供給側サーバより前記連動データを受信した際に、該連動データを記憶して保存する連動データ保存手段と、
前記供給側サーバに対して現在時刻の送信を要求する現在時刻要求手段と、
前記供給側サーバから現在時刻データを受信した際に、該現在時刻データが示す時刻に基づいて計測手段による時間の計測を行う時刻データ処理手段と、
前記連動データの前記開始時刻データが示す開始時刻に、前記連動データの前記経過時間データが示す経過時間を加えて作動時刻を演算するとともに、この作動時刻と前記計測手段による計測時間との差から動作までの待ち時間を算出する待ち時間算出手段と、
該待ち時間算出手段で算出された前記待ち時間が経過するまで待機する待機手段と、
該待機手段による待機が終了した際に前記再生データを再生する再生手段とを備え、
前記供給側サーバは、
前記携帯端末から前記連動データの送信要求を受けた際に、前記データベースに記憶された前記連動データを送信要求を受けた携帯端末に対して送信する連動データ送信手段と、
前記携帯端末から現在時刻の送信要求を受けた際に、現在時刻を示す現在時刻データを送信要求を受けた携帯端末に対して送信する現在時刻データ送信手段とを備えた
ことを特徴とする番組連動システム。
【請求項２】
放送される番組の場面に関連した文字又は音声の少なくとも一方を再生する為の再生データと、前記番組の開始時刻を示す開始時刻データと、前記番組の開始時刻から前記場面が現れる現出時刻までの経過時間を示す経過時間データとからなる連動データを記憶したデータベースが設けられた供給側サーバにネットワークを介して通信可能に接続される携帯端末であって、
前記供給側サーバに対して前記連動データの送信を要求する連動データ要求手段と、
前記連動データの送信要求に応じて前記供給側サーバから送信された前記連動データを受信した際に、該連動データを記憶して保存する連動データ保存手段と、
前記供給側サーバに対して現在時刻の送信を要求する現在時刻要求手段と、
この現在時刻の送信要求に応じて前記供給側サーバから現在時刻を示す現在時刻データを受信した際に、該現在時刻データが示す時刻に基づいて計測手段による時間の計測を行う時刻データ処理手段と、
前記連動データの前記開始時刻データが示す開始時刻に、前記連動データの前記経過時間データが示す経過時間を加えて作動時刻を演算するとともに、この作動時刻と前記計測手段による計測時間との差から動作までの待ち時間を算出する待ち時間算出手段と、
該待ち時間算出手段で算出された前記待ち時間が経過するまで待機する待機手段と、
該待機手段による待機が終了した際に前記再生データを再生する再生手段と、
を備えたことを特徴とする携帯端末。
【請求項３】
放送される番組の場面に関連した文字又は音声の少なくとも一方を再生する為の再生データと、前記番組の開始時刻を示す開始時刻データと、前記番組の開始時刻から前記場面が現れる現出時刻までの経過時間を示す経過時間データとからなる連動データを記憶したデータベースが設けられた供給側サーバにネットワークを介して通信可能に接続される携帯端末を用いた番組連動方法であって、
前記供給側サーバに対して前記連動データの送信を要求する連動データ要求ステップと、
前記連動データの送信要求に応じて前記供給側サーバから送信された前記連動データを受信した際に、該連動データを記憶して保存する連動データ保存ステップと、
前記供給側サーバに対して現在時刻の送信を要求する現在時刻要求ステップと、
この現在時刻の送信要求に応じて前記供給側サーバから現在時刻を示す現在時刻データを受信した際に、該現在時刻データが示す時刻に基づいて計測手段による時間の計測を行う時刻データ処理ステップと、
前記連動データの前記開始時刻データが示す開始時刻に、前記連動データの前記経過時間データが示す経過時間を加えて作動時刻を演算するとともに、この作動時刻と前記計測手段による計測時間との差から動作までの待ち時間を算出する待ち時間算出ステップと、
該待ち時間算出ステップで算出された前記待ち時間が経過するまで待機する待機ステップと、
該待機ステップによる待機が終了した際に前記再生データを再生する再生ステップと、
を備えたことを特徴とする番組連動方法。
【請求項４】
放送される番組の場面に関連した文字又は音声の少なくとも一方を再生する為の再生データと、前記番組の開始時刻を示す開始時刻データと、前記番組の開始時刻から前記場面が現れる現出時刻までの経過時間を示す経過時間データとからなる連動データを記憶したデータベースが設けられた供給側サーバにネットワークを介して通信可能に接続される携帯端末のコンピュータに実行させる番組連動プログラムであって、
前記供給側サーバに対して前記連動データの送信を要求する連動データ要求手順と、
前記連動データの送信要求に応じて前記供給側サーバから送信された前記連動データを受信した際に、該連動データを記憶して保存する連動データ保存手順と、
前記供給側サーバに対して現在時刻の送信を要求する現在時刻要求手順と、
この現在時刻の送信要求に応じて前記供給側サーバから現在時刻を示す現在時刻データを受信した際に、該現在時刻データが示す時刻に基づいて計測手段による時間の計測を行う時刻データ処理手順と、
前記連動データの前記開始時刻データが示す開始時刻に、前記連動データの前記経過時間データが示す経過時間を加えて作動時刻を演算するとともに、この作動時刻と前記計測手段による計測時間との差から動作までの待ち時間を算出する待ち時間算出手順と、
該待ち時間算出手順で算出された前記待ち時間が経過するまで待機する待機手順と、
該待機手順による待機が終了した際に前記再生データを再生する再生手順と、
を備えたことを特徴とする番組連動プログラム。
【請求項５】
放送される番組の場面に関連した文字又は音声の少なくとも一方を再生する為の再生データと、前記番組の開始時刻を示す開始時刻データと、前記番組の開始時刻から前記場面が現れる現出時刻までの経過時間を示す経過時間データとからなる連動データを記憶したデータベースが設けられた供給側サーバにネットワークを介して通信可能に接続される携帯端末を制御する為のプログラムが記憶された記録媒体であって、
前記供給側サーバに対して前記連動データの送信を要求する連動データ要求手順と、
前記連動データの送信要求に応じて前記供給側サーバから送信された前記連動データを受信した際に、該連動データを記憶して保存する連動データ保存手順と、
前記供給側サーバに対して現在時刻の送信を要求する現在時刻要求手順と、
この現在時刻の送信要求に応じて前記供給側サーバから現在時刻を示す現在時刻データを受信した際に、該現在時刻データが示す時刻に基づいて計測手段による時間の計測を行う時刻データ処理手順と、
前記連動データの前記開始時刻データが示す開始時刻に、前記連動データの前記経過時間データが示す経過時間を加えて作動時刻を演算するとともに、この作動時刻と前記計測手段による計測時間との差から動作までの待ち時間を算出する待ち時間算出手順と、
該待ち時間算出手順で算出された前記待ち時間が経過するまで待機する待機手順と、
該待機手順による待機が終了した際に前記再生データを再生する再生手順と、
を備えたことを特徴とする記録媒体。
【手続補正２】
【補正対象書類名】明細書
【補正対象項目名】０００６
【補正方法】変更
【補正の内容】
【０００６】
前記課題を解決するために本発明の番組連動システムにおいては、ユーザが利用する携帯端末とデータベースを備えた供給側サーバとがネットワークを介して通信可能に接続されて構成され、放送される番組に連動する連動データが前記データベースに記憶されるとともに、前記連動データが、前記番組の開始時刻を示す開始時刻データと、前記番組の場面に関連した文字又は音声の少なくとも一方を再生する為の再生データと、前記番組の開始時刻から前記場面が現れる現出時刻までの経過時間を示す経過時間データとからなる番組連動システムであって、前記携帯端末は、前記供給側サーバに対して前記連動データの送信を要求する連動データ要求手段と、前記供給側サーバより前記連動データを受信した際に、該連動データを記憶して保存する連動データ保存手段と、前記供給側サーバに対して現在時刻の送信を要求する現在時刻要求手段と、前記供給側サーバから現在時刻データを受信した際に、該現在時刻データが示す時刻に基づいて計測手段による時間の計測を行う時刻データ処理手段と、前記連動データの前記開始時刻データが示す開始時刻に、前記連動データの前記経過時間データが示す経過時間を加えて作動時刻を演算するとともに、この作動時刻と前記計測手段による計測時間との差から動作までの待ち時間を算出する待ち時間算出手段と、該待ち時間算出手段で算出された前記待ち時間が経過するまで待機する待機手段と、該待機手段による待機が終了した際に前記再生データを再生する再生手段とを備え、前記供給側サーバは、前記携帯端末から前記連動データの送信要求を受けた際に、前記データベースに記憶された前記連動データを送信要求を受けた携帯端末に対して送信する連動データ送信手段と、前記携帯端末から現在時刻の送信要求を受けた際に、現在時刻を示す現在時刻データを送信要求を受けた携帯端末に対して送信する現在時刻データ送信手段とを備えている。
【手続補正３】
【補正対象書類名】明細書
【補正対象項目名】０００７
【補正方法】変更
【補正の内容】
【０００７】
すなわち、放送される番組を視聴するユーザは、携帯端末を利用して供給側サーバに対し、番組の場面に関連した連動データの送信を要求する。この連動データの送信要求を受けた供給側サーバは、データベースに記憶された連動データを送信要求を受けた携帯端末に対して送信するので、この連動データを受信した携帯端末では、前記連動データを記憶して保存する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
そして、前記計測手段による計測時間が、前記番組開始時刻データが示す番組開始時刻に前記経過時間データが示す経過時間を加えた時刻となった際に前記再生データを再生する。
【手続補正１０】
【補正対象書類名】明細書
【補正対象項目名】００１７
【補正方法】変更
【補正の内容】
【００１７】
また、携帯端末においては、放送される番組の場面に関連した文字又は音声の少なくとも一方を再生する為の再生データと、前記番組の開始時刻を示す開始時刻データと、前記番組の開始時刻から前記場面が現れる現出時刻までの経過時間を示す経過時間データとからなる連動データを記憶したデータベースが設けられた供給側サーバにネットワークを介して通信可能に接続される携帯端末であって、前記供給側サーバに対して前記連動データの送信を要求する連動データ要求手段と、前記連動データの送信要求に応じて前記供給側サーバから送信された前記連動データを受信した際に、該連動データを記憶して保存する連動データ保存手段と、前記供給側サーバに対して現在時刻の送信を要求する現在時刻要求手段と、この現在時刻の送信要求に応じて前記供給側サーバから現在時刻を示す現在時刻データを受信した際に、該現在時刻データが示す時刻に基づいて計測手段による時間の計測を行う時刻データ処理手段と、前記連動データの前記開始時刻データが示す開始時刻に、前記連動データの前記経過時間データが示す経過時間を加えて作動時刻を演算するとともに、この作動時刻と前記計測手段による計測時間との差から動作までの待ち時間を算出する待ち時間算出手段と、該待ち時間算出手段で算出された前記待ち時間が経過するまで待機する待機手段と、該待機手段による待機が終了した際に前記再生データを再生する再生手段と、を備えている。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
これにより、この携帯端末を前記供給側サーバに接続して所定の操作を行うことによって、前述の発明と同様の作用効果を得ることが可能となる。
【手続補正１３】
【補正対象書類名】明細書
【補正対象項目名】００２０
【補正方法】変更
【補正の内容】
【００２０】
また、番組連動方法においては、放送される番組の場面に関連した文字又は音声の少なくとも一方を再生する為の再生データと、前記番組の開始時刻を示す開始時刻データと、前記番組の開始時刻から前記場面が現れる現出時刻までの経過時間を示す経過時間データとからなる連動データを記憶したデータベースが設けられた供給側サーバにネットワークを介して通信可能に接続される携帯端末を用いた番組連動方法であって、前記供給側サーバに対して前記連動データの送信を要求する連動データ要求ステップと、前記連動データの送信要求に応じて前記供給側サーバから送信された前記連動データを受信した際に、該連動データを記憶して保存する連動データ保存ステップと、前記供給側サーバに対して現在時刻の送信を要求する現在時刻要求ステップと、この現在時刻の送信要求に応じて前記供給側サーバから現在時刻を示す現在時刻データを受信した際に、該現在時刻データが示す時刻に基づいて計測手段による時間の計測を行う時刻データ処理ステップと、前記連動データの前記開始時刻データが示す開始時刻に、前記連動データの前記経過時間データが示す経過時間を加えて作動時刻を演算するとともに、この作動時刻と前記計測手段による計測時間との差から動作までの待ち時間を算出する待ち時間算出ステップと、該待ち時間算出ステップで算出された前記待ち時間が経過するまで待機する待機ステップと、該待機ステップによる待機が終了した際に前記再生データを再生する再生ステップと、を備えている。
【手続補正１４】
【補正対象書類名】明細書
【補正対象項目名】００２１
【補正方法】削除
【補正の内容】
【手続補正１５】
【補正対象書類名】明細書
【補正対象項目名】００２３
【補正方法】変更
【補正の内容】
【００２３】
また、番組連動プログラムにおいては、放送される番組の場面に関連した文字又は音声の少なくとも一方を再生する為の再生データと、前記番組の開始時刻を示す開始時刻データと、前記番組の開始時刻から前記場面が現れる現出時刻までの経過時間を示す経過時間データとからなる連動データを記憶したデータベースが設けられた供給側サーバにネットワークを介して通信可能に接続される携帯端末のコンピュータに実行させる番組連動プログラムであって、前記供給側サーバに対して前記連動データの送信を要求する連動データ要求手順と、前記連動データの送信要求に応じて前記供給側サーバから送信された前記連動データを受信した際に、該連動データを記憶して保存する連動データ保存手順と、前記供給側サーバに対して現在時刻の送信を要求する現在時刻要求手順と、この現在時刻の送信要求に応じて前記供給側サーバから現在時刻を示す現在時刻データを受信した際に、該現在時刻データが示す時刻に基づいて計測手段による時間の計測を行う時刻データ処理手順と、前記連動データの前記開始時刻データが示す開始時刻に、前記連動データの前記経過時間データが示す経過時間を加えて作動時刻を演算するとともに、この作動時刻と前記計測手段による計測時間との差から動作までの待ち時間を算出する待ち時間算出手順と、該待ち時間算出手順で算出された前記待ち時間が経過するまで待機する待機手順と、該待機手順による待機が終了した際に前記再生データを再生する再生手順と、を備えている。
【手続補正１６】
【補正対象書類名】明細書
【補正対象項目名】００２４
【補正方法】削除
【補正の内容】
【手続補正１７】
【補正対象書類名】明細書
【補正対象項目名】００２６
【補正方法】変更
【補正の内容】
【００２６】
また、記録媒体においては、放送される番組の場面に関連した文字又は音声の少なくとも一方を再生する為の再生データと、前記番組の開始時刻を示す開始時刻データと、前記番組の開始時刻から前記場面が現れる現出時刻までの経過時間を示す経過時間データとからなる連動データを記憶したデータベースが設けられた供給側サーバにネットワークを介して通信可能に接続される携帯端末を制御する為のプログラムが記憶された記録媒体であって、前記供給側サーバに対して前記連動データの送信を要求する連動データ要求手順と、前記連動データの送信要求に応じて前記供給側サーバから送信された前記連動データを受信した際に、該連動データを記憶して保存する連動データ保存手順と、前記供給側サーバに対して現在時刻の送信を要求する現在時刻要求手順と、この現在時刻の送信要求に応じて前記供給側サーバから現在時刻を示す現在時刻データを受信した際に、該現在時刻データが示す時刻に基づいて計測手段による時間の計測を行う時刻データ処理手順と、前記連動データの前記開始時刻データが示す開始時刻に、前記連動データの前記経過時間データが示す経過時間を加えて作動時刻を演算するとともに、この作動時刻と前記計測手段による計測時間との差から動作までの待ち時間を算出する待ち時間算出手順と、該待ち時間算出手順で算出された前記待ち時間が経過するまで待機する待機手順と、該待機手順による待機が終了した際に前記再生データを再生する再生手順と、を備えている。
【手続補正１８】
【補正対象書類名】明細書
【補正対象項目名】００２７
【補正方法】削除
【補正の内容】